(57)【要約】【課題】  回収袋を装着したときに袋内側の口を確実に広げて入り口近くに糞が付着しないようにし、回収袋を装着するときの作業性をよくして回収袋を手早く装着でき、その固定力も十分なペット用糞取り器を提供する。【解決手段】  ペット用糞取り器(A)は、回収袋(5)を装着できる装着具(1)と把手(2)を備えている。装着具(1)は、回収袋を広げた状態で通すことができる開口部(110)を有する保持体(11)と、保持体(11)に着脱でき、取り付けることにより回収袋(5)を固定できる固定体(12)を備えている。固定体(12)は、保持体(11)の開口部(110)で折り返した回収袋(5)の折り返し部の口部近傍の内側を押さえて広げる拡張壁(122)を有している。固定体(12)は保持体(11)に係合条(112,124)によって締め付け固定できる。把手(2)には、装着された回収袋(5)の口部近傍を掛けて閉じることができる封止具(3)を備えている。【選択図】        図１
2006149282.tif 000002
【特許請求の範囲】
【請求項１】
回収袋を装着できる装着具(1)と、
装着具(1)を保持する把手(2)と、
を備えており、
装着具(1)は、
開口部(110)を有する保持体(11)と、
保持体(11)に着脱でき、取り付けることにより回収袋を口を広げた状態で固定できる固定体(12)と、
を備えており、
固定体(12)は、固定された回収袋の口部近傍の内側を広げる拡張部(122)を有していることを特徴とする、
ペット用糞取り器。
【請求項２】
固定体(12)は保持体(11)に嵌合でき、固定体(12)と保持体(11)相互に設けられた締付要素(112,124)によって締め付け固定できるよう構成されていることを特徴とする、
請求項１記載のペット用糞取り器。
【請求項３】
装着された回収袋の口部近傍を本質的に閉じることができる封止手段(3)を備えていることを特徴とする、
請求項１または２記載のペット用糞取り器。
【発明の詳細な説明】
【技術分野】
【０００１】
本発明は、ペット用糞取り器に関するものである。更に詳しくは、ペットを散歩させるときに使用され、構造がシンプルで、なおかつ必要十分な機能性を備えており、取り扱いも容易であるペット用糞取り器に関する。
【背景技術】
【０００２】
ペットを飼育するには、適度な運動をさせる必要がある。特にペットが犬である場合は、散歩させるのが一般的な方法である。また、犬が散歩の途中で糞をしたときに、飼い主が糞の始末をすることは最低限のマナーである。糞を始末する一般的な方法は、飼い主が袋を持ち歩き、犬が糞をしたときに糞を取って袋に入れて持ち帰るというものである。
【０００３】
上記方法では、一旦路面に落ちた糞をきれいに取りきることは難しく、少し付着して残ってしまうことも多い。そこで、糞が路面に落ちる前に受けて取ることができる糞取り器が従来より提案されている（特許文献１参照）。
特許文献１記載のペット用糞取り器は、上部開口側に鍔部を有する筒状の取付体に把手が設けてあり、鍔部には、回収袋を係止するための切込状の係止部が設けられている構造である。
【０００４】
【特許文献１】特開２００３−２８４４４４公報
【発明の開示】
【発明が解決しようとする課題】
【０００５】
しかしながら、特許文献１記載のペット用糞取り器には、次のような課題がある。
すなわち、切込状の係止部では、回収袋を装着するときに作業性が悪く、手早く取り付けることができない。また、回収袋の固定力が十分でなく、例えば糞を受けるときの糞の重みで回収袋が脱落したり、破れたりすることがあり使いにくい。
【０００６】
更には、回収袋を外側へ折り返すようにして取付体に装着したとき、袋内側の口が広がりにくく、回収袋の入り口近くに糞が付着してしまうことがある。この場合は、回収袋の口を結んで閉じるときなどに邪魔になる。
【０００７】
（本発明の目的）
本発明の目的は、回収袋を装着したときに、袋内側の口を確実に広げて入り口近くに糞が付着しないようにしたペット用糞取り器を提供することである。
【０００８】
本発明の他の目的は、回収袋を装着するときの作業性をよくして回収袋を手早く装着でき、その固定力も十分なペット用糞取り器を提供することである。
【課題を解決するための手段】
【０００９】
上記課題を解決するために本発明が講じた手段は次のとおりである。
第１の発明にあっては、
回収袋を装着できる装着具と、
装着具を保持する把手と、
を備えており、
装着具は、
開口部を有する保持体と、
保持体に着脱でき、取り付けることにより回収袋を口を開けた状態で固定できる固定体と、
を備えており、
固定体は、固定された回収袋の口部近傍の内側を広げる拡張部を有していることを特徴とする、
ペット用糞取り器である。
【００１０】
第２の発明にあっては、
固定体は保持体に嵌合でき、固定体と保持体相互に設けられた締付要素によって締め付け固定できるよう構成されていることを特徴とする、
第１の発明に係るペット用糞取り器である。
【００１１】
第３の発明にあっては、
装着された回収袋の口部近傍を本質的に閉じることができる封止手段を備えていることを特徴とする、
第１または第２の発明に係るペット用糞取り器である。
【００１２】
保持体は、例えば円形、多角形等の輪状体や筒状体等に形成されるが、これらに限定されるものではない。
固定体の着脱構造は、嵌合、螺合の他、回収袋を挟んだり掛止したりして固定できれば、どのような構造でもよい。
拡張部は、連続でも断続的でもよく、回収袋の口部近傍が内側に膨らまないように押さえることができれば、その構造は特に限定しない。
【００１３】
締付要素は、螺合構造であるが、ネジの突条が連続していてもよいし、部分的に設けてもよい。突条が部分的に設けられているものを、例えば設けられていない箇所から他方の突条を嵌め込み、わずかに回転させるだけで締め付けることができるようにすれば、回収袋の装着が手早くできる。また、この構造では回収袋を挟んだ状態であまり擦らないので、回収袋が傷みにくい。
封止手段の構造は、回収袋の口を本質的に閉じることができれば特に限定するものではない。
【００１４】
（作用）
本発明に係るペット用糞取り器の作用を説明する。なお、ここでは、本発明の各構成要件のそれぞれに、後述する実施の形態において各部に付与した符号を対応させて付与し説明するが、この符号の付与は、あくまで説明の理解を助けるためであって各構成要件の上記各部への限定を意味するものではない。
【００１５】
ペット用糞取り器(A)には、例えば合成樹脂フィルムでつくられた回収袋(5)をあらかじめ装着しておく。回収袋(5)の装着は次のように行う。まず、装着具(1)の保持体(11)から固定体(12)を取り外しておき、保持体(11)の開口部(110)に回収袋(5)を膨らませるようにして通す。次に、回収袋(5)の口側を外側に折り返すようにして、保持体(11)の開口部(110)の縁に掛ける。そして、保持体(11)に固定体(12)を取り付けて回収袋(5)を固定し装着する。なお、回収袋(5)は、保持体(1)の外側から内側へ折り返すこともでき、折り返さないで固定することもできる。
【００１６】
装着された回収袋(5)の折り返し部の口部近傍の内側は、固定体(12)の拡張部(122)で押さえる等して確実に広げることができる。ペット用糞取り器(A)は、このように回収袋(5)を装着して、ペットと散歩をするときに飼い主が携帯する。
【００１７】
散歩の途中でペットが路上で糞をするときは、糞が路面に落ちないように回収袋(5)の開口側をペットの尻部に当てるか、やや離して受けるようにする。
このとき、回収袋(5)の口部近傍は、固定体(12)の拡張部(122)によって押さえられて確実に広がっているので、口部近傍に糞が付着することを防止できる。
【００１８】
糞を回収したら、例えば使用者が把手(2)を持ちながら回収袋(5)の口部近傍を指に掛けて閉じるようにし、臭気が外に漏れにくいようにして携帯する。または、糞の入った回収袋(5)を装着具(1)から取り外し、別の収容袋等に入れて携帯する。このとき、回収袋(5)の口部近傍を結んで閉じるようにするが、口部近傍に糞が付着していないので、結びやすい。このようにして糞を持ち帰り、トイレに流す等して始末する。
【００１９】
固定体(12)は保持体(11)に嵌合でき、固定体(12)と保持体(11)相互に設けられた締付要素(112,124)によって締め付け固定できるよう構成されているものは、固定体(12)と保持体(11)の嵌合によって回収袋(5)を挟むようにし、更に締付要素(112,124)によって締め付けることができるので、回収袋(5)をより確実に固定することができる。また、例えば容器に蓋をするような簡単な操作で回収袋(5)を装着することができるので作業性がよく、回収袋(5)を手早く装着できる。
【００２０】
装着された回収袋(5)の口部近傍を本質的に閉じることができる封止手段(3)を備えているものは、回収袋(5)で糞を回収した後、封止手段(3)によって臭気が外部に漏れないように閉じることができる。これにより、例えば使用者が把手(2)を持ちながら回収袋(5)の口部近傍を指に掛けて閉じるというような煩わしさがなく、使いやすい。
【発明の効果】
【００２１】
（ａ）本発明に係るペット用糞取り器は、装着された回収袋の折り返し部の口部近傍の内側を、固定体の拡張部で押さえて確実に広げることができる。これにより、ペットの糞を受けて収するときに、回収袋の口部近傍に糞が付着することを防止できるので、例えば糞の入った回収袋を装着具から取り外し、別の収容袋等に入れて携帯するような場合、回収袋の口部近傍を結んで閉じるときに、口部近傍に糞が付着していないので、結びやすく衛生的である。
【００２２】
（ｂ）固定体は保持体に嵌合でき、固定体と保持体相互に設けられた締付要素によって締め付け固定できるよう構成されているものは、固定体と保持体の嵌合によって回収袋を挟むようにし、更に締付要素によって締め付けることができるので、回収袋をより確実に固定することができる。また、例えば容器に蓋をするような簡単な操作で回収袋を装着することができるので作業性がよく、回収袋を手早く装着できる。
【００２３】
（ｃ）装着された回収袋の口部近傍を本質的に閉じることができる封止手段を備えているものは、回収袋で糞を回収した後、封止手段によって臭気が外部に漏れないように閉じることができる。これにより、例えば使用者が把手を持ちながら回収袋の口部近傍を指に掛けて閉じるというような煩わしさがなく、使いやすい。
【発明を実施するための最良の形態】
【００２４】
本発明を図に示した実施例に基づき詳細に説明する。
図１は本発明に係るペット用糞取り器の一実施の形態を示す分解斜視図、
図２はペット用糞取り器の要部断面図である。
なお、図１、図２では便宜上回収袋もあわせて図示している。
【００２５】
ペット用糞取り器Ａは、回収袋を装着できる装着具１、装着具１に設けてある把手２及び把手２に設けてある封止具３を備えている。それぞれについて詳細に説明する。
【００２６】
装着具１は、合成樹脂でつくられており、回収袋を広げた状態で通すことができる開口部１１０を有する保持体１１、保持体１１に着脱でき、取り付けることにより回収袋を固定できる固定体１２を備えている。
【００２７】
保持体１１は、ほぼ円筒形状に形成され、内部側が開口部１１０となっており、所要の高さを有している。保持体１の上端寄りにはやや径大のフランジ部１１１が設けてある。保持体１のうち、フランジ部１１１より上部側の外周面には、周方向に等間隔で四箇所に係合条１１２が設けてある。
【００２８】
各係合条１１２は、同じ方向（固定体１２の締付方向）に所要角度で下り傾斜して設けられており、先端部にはストッパー１１３が設けてある。なお、各係合条１１２の間隔は、後述する固定体１２の係合条１２４が通ることができる間隔に設定されている。
【００２９】
固定体１２は、上記保持体１のフランジ部１１１より上部側に外嵌めされる外周壁１２１と、同じく内嵌めされる拡張壁１２２を上縁部でつないだ構造である。拡張壁１２２と外周壁１２１との間には、保持体１の壁厚よりやや広い隙間１２３が設けられている。また、拡張壁１２２は、その下端部が外周壁１２１の下端部より下方へ突出するよう長く形成されている。このように長さを違えて形成することにより、長く形成された側が保持体１に嵌合するときのガイドになるので、作業がしやすい。
【００３０】
固定体１２の外周壁１２１の上部側の内面には、上記保持体１の係合条１１２と係合する係合条１２４が隙間１２３側へ突出して周方向に等間隔で四箇所に設けてある。各係合条１２４は、同じ方向（固定体１２の締付方向）に所要角度で下り傾斜して設けられており、保持体１の係合条１１２と平行である。なお、上記各係合条１１２、１２４は締付要素である。
【００３１】
把手２は木製であり、先端部をネジ止めして保持体１に固定されている。なお、把手は合成樹脂や金属等の他の材料でつくったり、保持体１と別体につくったものを取り付けるのではなく、一体的につくることもできる。
なお、把手２にアクセサリを取付けたり、ペット用糞取り器Ａを吊下げたりするための孔やフックを設けることもできる。
【００３２】
把手２のうち装着具１に近い側には、封止具３が取り付けられている。封止具３は金属製であり、棒体を曲げてほぼコ字状に形成されている。封止具３は、把手の一方の側部から下部へ延長するように設けてあり、下部との間には隙間４が設けてある。隙間４の間隔は、回収袋を差し込んだときに口近傍を本質的に閉じることができるように設定されている。隙間４の間隔は特に限定せず、これより多少広くても問題はない。なお、封止具３は把手２でなく保持具１に設けることもできる。また、封止具３は、把手１や保持具１と一体的につくってもよい。
【００３３】
（作用）
図３はペット用糞取り器の使用状態を示す説明図、
図４は糞を回収した後で回収袋を封止具に掛けた状態を示す説明図である。
【００３４】
図１ないし図４を参照して、本実施の形態に係るペット用糞取り器Ａの使用方法及び作用を説明する。
ペット用糞取り器Ａに、合成樹脂フィルムでつくられた回収袋５をあらかじめ装着しておく。回収袋５を装着する際は、装着具１の保持体１１から固定体１２を取り外しておき、保持体１１の開口部１１０に回収袋５を膨らませるようにして通す（図１参照）。
【００３５】
次に、回収袋５の口側を外側に折り返すようにして、保持体１１の開口部１１０縁に掛ける。そして、固定体１２の係合条１２４を保持体１１の係合条１１２間の隙間に入れ込み、更に締付方向に回して係合条１１２と係合条１２４を回収袋５を挟むようにして締め付け、これにより装着具１に回収袋５を固定し装着する（図２参照）。なお、使用する回収袋５の形や大きさは特に限定されず、色々な大きさの合成樹脂製のゴミ袋やガゼット袋等を利用できる。
【００３６】
上記装着構造により、回収袋５は装着具１に確実に固定することができる。また、作業にあたっては、例えば容器に蓋をするような簡単な操作で回収袋５を装着することができるので作業性がよく、回収袋５を手早く装着できる。
【００３７】
装着具１に装着された回収袋５の折り返し部の口部近傍の内側は、固定体１２の拡張壁１２２で押さえられて確実に広げることができる（図２参照）。ペット用糞取り器Ａは、このように回収袋５を装着して、ペットと散歩をするときに飼い主が携帯する。
【００３８】
散歩の途中でペットが路上で糞をするときは、糞が路面に落ちないように、回収袋５の開口側をペットの尻部に当てるか、やや離して受けるようにする（図３参照）。
このとき、回収袋５の口部近傍は、固定体１２の拡張壁１２２によって押さえられて確実に広がっているので、口部近傍に糞が付着することを防止できる。なお、回収袋５の内部にトイレットペーパーを収容し敷いておけば、後の糞の始末がしやすい。
【００３９】
糞を回収したら、使用者が回収袋５の口部近傍を隙間４に差し込むようにして封止具３に引っ掛ける（図４参照）。これにより、回収袋５の口部近傍は本質的に封止されるので、内部の糞の臭気は外に漏れにくい。また、使用者が把手２を持ちながら回収袋５の口部近傍を指に掛けて閉じるというような煩わしさがなく、持ち歩きが容易にできる。
【００４０】
なお、糞の入った回収袋５を装着具１から取り外し、別の収容袋等に入れて携帯してもよい。このとき、回収袋５の口部近傍を結んで閉じるようにするが、口部近傍に糞が付着していないので、結びやすい。このようにして糞を持ち帰り、トイレに流す等して始末することができる。
【００４１】
図５は封止具の他の例を示す断面説明図である。
この封止具３ａは、撓み性または反発性に優れた金属製の板で形成されている。封止具３ａは、一端側を把手２の側部にネジ止めし、外周面に沿うように湾曲し、側部から反対側の側部まで延長して設けてある。また、封止具３ａの先端部は、回収袋を差し入れやすいように一部外側へやや曲げてある。
【００４２】
封止具３ａによれば、回収袋を封止具３ａと把手２の外周面との間に挟んだときに、封止具３ａの復元力によって回収袋の口部近傍を確実に封止することができる。これにより、回収袋内の糞の臭気が外部に漏れにくいので好ましい。
【００４３】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００４４】
【図１】本発明に係るペット用糞取り器の一実施の形態を示す分解斜視図。
【図２】ペット用糞取り器の要部断面図。
【図３】ペット用糞取り器の使用状態を示す説明図。
【図４】糞を回収した後で回収袋を封止具に掛けた状態を示す説明図。
【図５】封止具の他の例を示す断面説明図。
【符号の説明】
【００４５】
Ａ  ペット用糞取り器
１  装着具
１１  保持体
１１０  開口部
１１１  フランジ部
１１２  係合条
１１３  ストッパー
１２  固定体
１２１  外周壁
１２２  拡張壁
１２３  隙間
１２４  係合条
２  把手
３、３ａ  封止具
４  隙間
５  回収袋
【図１】
2006149282.tif 000003
【図２】
2006149282.tif 000004
【図３】
2006149282.tif 000005
【図４】
2006149282.tif 000006
【図５】
2006149282.tif 000007